【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
ユーザ機器(UE)とサービングノードとの間の通信の圧縮を同期させる方法であって、
チェックサム失敗に基づいて、コンプレッサのコンプレッサメモリおよびデコンプレッサのデコンプレッサメモリが同期外れであると判断するステップと、
前記コンプレッサメモリおよび前記デコンプレッサメモリが同期外れであると判断したことに応答して、前記コンプレッサメモリおよび前記デコンプレッサメモリを所定の状態にリセットするステップであって、前記コンプレッサメモリおよび前記デコンプレッサメモリが前記所定の状態で同期し、前記コンプレッサメモリおよび前記デコンプレッサメモリを前記所定の状態にリセットするステップが、前記チェックサム失敗に基づいて無線リンク制御(RLC)RESET手順を開始するステップをさらに備え、前記RLC RESET手順が、前記コンプレッサメモリおよび前記デコンプレッサメモリをフラッシュするステップを備える、ステップと
を備える、方法。
【請求項２】
前記コンプレッサメモリおよび前記デコンプレッサメモリをフラッシュするステップが、
前記所定の状態を取得するために前記デコンプレッサメモリをフラッシュするステップと、
RLC RESET信号を前記コンプレッサに送信するステップであって、前記RLC RESET信号が、前記コンプレッサに、前記所定の状態を取得するために前記コンプレッサメモリをフラッシュさせる、ステップと
をさらに備える、請求項1に記載の方法。
【請求項３】
前記RLC RESET信号が、前記コンプレッサに、前記所定の状態を取得するために前記コンプレッサメモリをフラッシュさせるステップが、1つまたは複数の圧縮済みRLCサービスデータユニット(SDU)をフラッシュするステップをさらに備える、請求項2に記載の方法。
【請求項４】
前記コンプレッサメモリおよび前記デコンプレッサメモリを前記所定の状態にリセットするステップが、
前記コンプレッサメモリおよび前記デコンプレッサメモリが同期外れであると判断したことに応答して、前記デコンプレッサを無効化するステップと、
無効化コマンド信号を前記コンプレッサに送信するステップであって、前記無効化コマンド信号が、前記コンプレッサが1つまたは複数のデータパケットを圧縮することを無効化する、ステップと、
前記デコンプレッサを再有効化するステップであって、前記デコンプレッサに、前記所定の状態を取得するために前記デコンプレッサメモリをフラッシュさせる、ステップと、
再有効化コマンド信号を前記コンプレッサに送信するステップであって、前記再有効化コマンド信号が、前記1つまたは複数のデータパケットを圧縮するように前記コンプレッサを有効化し、前記再有効化コマンド信号が、前記コンプレッサに、前記所定の状態を取得するために前記コンプレッサメモリをフラッシュさせる、ステップと
をさらに備える、請求項1に記載の方法。
【請求項５】
前記チェックサム失敗に基づいて、前記コンプレッサメモリおよび前記デコンプレッサメモリが同期外れであると判断するステップが、
前記デコンプレッサによって、解凍済みデータパケットを形成するために圧縮済みデータパケットを解凍するステップと、
前記解凍済みデータパケットについてのチェックサムを計算するステップと、
前記解凍済みデータパケットについての前記チェックサムが元のデータパケットについてのチェックサムと一致するかどうかを判断するステップであって、前記元のデータパケットが、前記圧縮済みデータパケットの非圧縮バージョンに対応する、ステップと、
前記解凍済みデータパケットについての前記チェックサムが前記元のデータパケットについての前記チェックサムと一致しないときに、前記チェックサム失敗を示すステップと
をさらに備える、請求項1に記載の方法。
【請求項６】
前記元のデータパケットについての前記チェックサムが、前記元のデータパケットの総バイト数の一部分のみについて計算され、かつ前記圧縮済みデータパケットの送信前に前記圧縮済みデータパケットのヘッダに付加される、請求項5に記載の方法。
【請求項７】
前記解凍済みデータパケットについての前記チェックサムを計算するステップが、前記解凍済みデータパケットのインターネットプロトコル(IP)レイヤおよび送信制御プロトコル(TCP)レイヤの少なくとも一方または両方についての前記チェックサムを計算するステップをさらに備え、前記元のデータパケットについての前記チェックサムが、前記元のデータパケットのインターネットプロトコル(IP)レイヤおよび送信制御プロトコル(TCP)レイヤの少なくとも一方または両方についての前記チェックサムに対応する、請求項6に記載の方法。
【請求項８】
ポイントツーポイント応答(PTP ACK)信号を受信するステップをさらに備え、前記PTP ACK信号が、前記コンプレッサメモリおよび前記デコンプレッサメモリの前記リセットの前に送信された構成要求に基づいて1つまたは複数のデータパケットを圧縮する前記コンプレッサに対応する、請求項1に記載の方法。
【請求項９】
前記コンプレッサメモリおよび前記デコンプレッサメモリの前記リセットの後に、圧縮済みデータパケットを受信するステップであって、前記圧縮済みデータパケットが、前記圧縮済みデータパケットのヘッダに付加されたインターネットプロトコルデータ圧縮(IPDC)シーケンス番号(SN)を備える、ステップと、
前記圧縮済みデータパケットの前記IPDC SNが1つまたは複数の以前に受信された圧縮済みデータパケットに対応する1つまたは複数のIPDC SNと一致するかどうかを判断するステップと、
前記圧縮済みデータパケットの前記IPDC SNが1つまたは複数の以前に受信されたIPDC SNと一致するとき、前記圧縮済みデータパケットを破棄するステップと
をさらに備える、請求項1に記載の方法。
【請求項１０】
前記1つまたは複数の以前に受信された圧縮済みデータパケットが、前記コンプレッサメモリおよび前記デコンプレッサメモリを前記所定の状態にリセットする前に受信される、請求項9に記載の方法。
【請求項１１】
ユーザ機器(UE)とサービングノードとの間の通信の圧縮を同期させるための装置であって、
チェックサム失敗に基づいて、コンプレッサのコンプレッサメモリおよびデコンプレッサのデコンプレッサメモリが同期外れであると判断するための手段と、
前記コンプレッサメモリおよび前記デコンプレッサメモリが同期外れであると判断したことに応答して、前記コンプレッサメモリおよび前記デコンプレッサメモリを所定の状態にリセットするための手段であって、前記コンプレッサメモリおよび前記デコンプレッサメモリが前記所定の状態で同期し、前記コンプレッサメモリおよび前記デコンプレッサメモリを前記所定の状態にリセットするための手段が、前記チェックサム失敗に基づいて無線リンク制御(RLC)RESET手順を開始するための手段をさらに備え、前記RLC RESET手順が、前記コンプレッサメモリおよび前記デコンプレッサメモリをフラッシュするための手段を備える、手段と
を備える、装置。
【請求項１２】
ユーザ機器(UE)とサービングノードとの間の通信の圧縮を同期させるための装置であって、
データを記憶するためのメモリと、
前記メモリに通信可能に結合される1つまたは複数のプロセッサであって、
チェックサム失敗に基づいて、コンプレッサのコンプレッサメモリおよびデコンプレッサのデコンプレッサメモリが同期外れであると判断することと、
前記コンプレッサメモリおよび前記デコンプレッサメモリが同期外れであると判断したことに応答して、前記コンプレッサメモリおよび前記デコンプレッサメモリを所定の状態にリセットすることであって、前記コンプレッサメモリおよび前記デコンプレッサメモリが前記所定の状態で同期し、前記コンプレッサメモリおよび前記デコンプレッサメモリを前記所定の状態にリセットすることが、前記チェックサム失敗に基づいて無線リンク制御(RLC)RESET手順を開始するようにさらに構成され、前記RLC RESET手順が、前記コンプレッサメモリおよび前記デコンプレッサメモリをフラッシュすることを備える、リセットすることと
を備える、装置。
【請求項１３】
前記コンプレッサメモリおよび前記デコンプレッサメモリをフラッシュすることが、
前記所定の状態を取得するために前記デコンプレッサメモリをフラッシュすることと、
RLC RESET信号を前記コンプレッサに送信することであって、前記RLC RESET信号が、前記コンプレッサに、前記所定の状態を取得するために前記コンプレッサメモリをフラッシュさせる、送信することと
をさらに備える、請求項12に記載の装置。
【請求項１４】
前記RLC RESET信号が、前記コンプレッサに、前記所定の状態を取得するために前記コンプレッサメモリをフラッシュさせることが、1つまたは複数の圧縮済みRLCサービスデータユニット(SDU)をフラッシュすることをさらに備える、請求項13に記載の装置。
【請求項１５】
前記コンプレッサメモリおよび前記デコンプレッサメモリを前記所定の状態にリセットするために、前記1つまたは複数のプロセッサが、
前記コンプレッサメモリおよび前記デコンプレッサメモリが同期外れであると判断したことに応答して、前記デコンプレッサを無効化することと、
無効化コマンド信号を前記コンプレッサに送信することであって、前記無効化コマンド信号が、前記コンプレッサが1つまたは複数のデータパケットを圧縮するのを無効化する、送信することと、
前記デコンプレッサを再有効化することであって、前記デコンプレッサに、前記所定の状態を取得するために前記デコンプレッサメモリをフラッシュさせる、再有効化することと、
再有効化コマンド信号を前記コンプレッサに送信することであって、前記再有効化コマンド信号が、前記1つまたは複数のデータパケットを圧縮するように前記コンプレッサを有効化し、前記再有効化コマンド信号が、前記コンプレッサに、前記所定の状態を取得するために前記コンプレッサメモリをフラッシュさせる、送信することと
を行うようにさらに構成される、請求項12に記載の装置。
【請求項１６】
前記チェックサム失敗に基づいて、前記コンプレッサメモリおよび前記デコンプレッサメモリが同期外れであると判断するために、前記1つまたは複数のプロセッサが、
前記デコンプレッサによって、解凍済みデータパケットを形成するために圧縮済みデータパケットを解凍することと、
前記解凍済みデータパケットについてのチェックサムを計算することと、
前記解凍済みデータパケットについての前記チェックサムが元のデータパケットについてのチェックサムと一致するかどうかを判断することであって、前記元のデータパケットが、前記圧縮済みデータパケットの非圧縮バージョンに対応する、判断することと、
前記解凍済みデータパケットについての前記チェックサムが前記元のデータパケットについての前記チェックサムと一致しないときに、前記チェックサム失敗を示すことと
を行うようにさらに構成される、請求項12に記載の装置。
【請求項１７】
前記元のデータパケットについての前記チェックサムが、前記元のデータパケットの総バイト数の一部分のみについて計算され、かつ前記圧縮済みデータパケットの送信前に前記圧縮済みデータパケットのヘッダに付加される、請求項16に記載の装置。
【請求項１８】
前記解凍済みデータパケットについての前記チェックサムを計算することが、前記解凍済みデータパケットのインターネットプロトコル(IP)レイヤおよび送信制御プロトコル(TCP)レイヤの少なくとも一方または両方についての前記チェックサムを計算することをさらに備え、前記元のデータパケットについての前記チェックサムが、前記元のデータパケットのインターネットプロトコル(IP)レイヤおよび送信制御プロトコル(TCP)レイヤの少なくとも一方または両方についての前記チェックサムに対応する、請求項17に記載の装置。
【請求項１９】
前記1つまたは複数のプロセッサがポイントツーポイント応答(PTP ACK)信号を受信するようにさらに構成され、前記PTP ACK信号が、前記コンプレッサメモリおよび前記デコンプレッサメモリの前記リセットの前に送信された構成要求に基づいて1つまたは複数のデータパケットを圧縮する前記コンプレッサに対応する、請求項12に記載の装置。
【請求項２０】
前記1つまたは複数のプロセッサが、
前記コンプレッサメモリおよび前記デコンプレッサメモリの前記リセットの後に、圧縮済みデータパケットを受信することであって、前記圧縮済みデータパケットが、前記圧縮済みデータパケットのヘッダに付加されたインターネットプロトコルデータ圧縮(IPDC)シーケンス番号(SN)を備える、受信することと、
前記圧縮済みデータパケットの前記IPDC SNが1つまたは複数の以前に受信された圧縮済みデータパケットに対応する1つまたは複数のIPDC SNと一致するかどうかを判断することと
前記圧縮済みデータパケットの前記IPDC SNが1つまたは複数の以前に受信されたIPDC SNと一致するとき、前記圧縮済みデータパケットを破棄することと
を行うようにさらに構成される、請求項12に記載の装置。
【請求項２１】
前記1つまたは複数の以前に受信された圧縮済みデータパケットが、前記コンプレッサメモリおよび前記デコンプレッサメモリを前記所定の状態にリセットする前に受信される、請求項20に記載の装置。
【請求項２２】
ユーザ機器(UE)とサービングノードとの間の通信の圧縮を同期させるためのコンピュータ実行可能コードを記憶するコンピュータ可読記録媒体であって、
チェックサム失敗に基づいて、コンプレッサのコンプレッサメモリおよびデコンプレッサのデコンプレッサメモリが同期外れであると判断するためのコードと、
前記コンプレッサメモリおよび前記デコンプレッサメモリが同期外れであると判断したことに応答して、前記コンプレッサメモリおよび前記デコンプレッサメモリを所定の状態にリセットするためのコードであって、前記コンプレッサメモリおよび前記デコンプレッサメモリが前記所定の状態で同期し、前記コンプレッサメモリおよび前記デコンプレッサメモリを前記所定の状態にリセットするためのコードが、前記チェックサム失敗に基づいて無線リンク制御(RLC)RESET手順を開始するためのコードをさらに備え、前記RLC RESET手順が、前記コンプレッサメモリおよび前記デコンプレッサメモリをフラッシュするためのコードを備える、コードと
を備える、コンピュータ可読記録媒体。